(57)【特許請求の範囲】
【請求項１】
端子収容室と、前記端子収容室への端子挿入口と、前記端子収容室に隣接して形成され、端部表面に端子部を有する基板が嵌合される嵌合部とを有するコネクタハウジングに対し、前記端子挿入口から前記端子収容室内に挿入されて収容されるコネクタ端子であって、
前記コネクタ端子の挿入方向の前方が開口した端子本体と、
前記端子本体に一端部が固定されて前記コネクタ端子の挿入方向の後方に向かって延び、前記コネクタ端子の挿入方向の前方を開口部として折り返され、前記コネクタ端子の挿入方向の前方に向かって延びる略Ｕ字形状であり、前記折り返された部分が前記コネクタ端子の挿入方向の後方に向かって凸曲面状に形成された曲面部であり、前記曲面部から前記コネクタ端子の挿入方向の前方に向かって延びる部分の途中に前記端子収容室から前記嵌合部に突出する接点部を有し、前記開口部が前記端子本体の開口に臨んで前記端子本体内に収容されるばね片とを備え、
前記コネクタハウジングは、前記端子収容室内の前記コネクタ端子の挿入方向の前方に、前記端子収容室内に挿入される前記端子本体内の前記ばね片の前記開口部に向かって突出した突起部と、前記ばね片の一部が前記嵌合部に突出可能な突出用開口とを有し、
前記ばね片は、前記端子本体に固定される一端部と前記曲面部との間に前記端子本体から離れるように形成された屈曲部と、前記端子本体に固定される一端部と反対側の端部に形成され、前記端子収容室内に前記コネクタ端子が挿入される際に前記突起部を滑る状態で接触する摺接部とを有し、前記接点部は、前記突起部が前記摺接部に接触することにより前記端子収容室から前記突出用開口を通じて前記嵌合部に押し出されて突出し、前記嵌合部に嵌合される前記基板の前記端子部に接触可能となるものである
ことを特徴とするコネクタ端子。
【請求項２】
前記ばね片または前記端子本体のうち、いずれかの固定される部分に、前記端子本体または前記ばね片に臨む突出部を有する請求項１記載のコネクタ端子。
【請求項３】
前記端子本体が、前記コネクタ端子の挿入方向の後方側に、前記ばね片の折り返された部分の後退を規制する受け部を有する請求項１または２に記載のコネクタ端子。
【請求項４】
端部表面に端子部を有する基板が嵌合されるコネクタであって、
端子収容室と、前記端子収容室への端子挿入口と、前記端子収容室に隣接して形成され、前記基板が嵌合される嵌合部とを有するコネクタハウジングと、
前記コネクタハウジングに対し、前記端子挿入口から前記端子収容室内に挿入されて収容されるコネクタ端子とを有し、
前記コネクタ端子は、
前記コネクタ端子の挿入方向の前方が開口した端子本体と、
前記端子本体に一端部が固定されて前記コネクタ端子の挿入方向の後方に向かって延び、前記コネクタ端子の挿入方向の前方を開口部として折り返され、前記コネクタ端子の挿入方向の前方に向かって延びる略Ｕ字形状であり、前記折り返された部分が前記コネクタ端子の挿入方向の後方に向かって凸曲面状に形成された曲面部であり、前記曲面部から前記コネクタ端子の挿入方向の前方に向かって延びる部分の途中に前記端子収容室から前記嵌合部に突出する接点部を有し、前記開口部が前記端子本体の開口に臨んで前記端子本体内に収容されるばね片とを備え、
前記コネクタハウジングは、前記端子収容室内の前記コネクタ端子の挿入方向の前方に、前記端子収容室内に挿入される前記端子本体内の前記ばね片の前記開口部に向かって突出した突起部と、前記ばね片の一部が前記嵌合部に突出可能な突出用開口とを有し、
前記ばね片は、前記端子本体に固定される一端部と前記曲面部との間に前記端子本体から離れるように形成された屈曲部と、前記端子本体に固定される一端部と反対側の端部に形成され、前記端子収容室内に前記コネクタ端子が挿入される際に前記突起部を滑る状態で接触する摺接部とを有し、前記接点部は、前記突起部が前記摺接部に接触することにより前記端子収容室から前記突出用開口を通じて前記嵌合部に押し出されて突出し、前記嵌合部に嵌合される前記基板の前記端子部に接触可能となるものである
ことを特徴とするコネクタ。
【発明の詳細な説明】
【技術分野】
【０００１】
本発明は、自動車等に搭載される各種機器の電気接続に使用されるコネクタ端子に係り、より詳しくは、端部表面に端子部を有する基板が嵌合されるコネクタ用のコネクタ端子およびコネクタに関する。
【背景技術】
【０００２】
端部表面に端子部を有する基板が嵌合されるコネクタとして、例えば特許文献１に記載のコネクタが知られている。図１８に示すように、このコネクタ１００は、互いに嵌合可能に形成された基板側ハウジング１０１と電線側ハウジング１０２とから構成されている。基板側ハウジング１０１には、端部表面に端子部１０４を有する基板１０３が設けられている。電線側ハウジング１０２には、端子部１０４に接触可能な端子金具１０５が設けられている。
【０００３】
端子金具１０５は、導電性板材を折り曲げて形成されており、その後端部には電線Ｗを接続可能な電線接続部１１１が設けられている。この電線接続部１１１の前方には、中空状の接続部１１６が形成されており、その接続部１１６の内側に、全体として回曲するように折り曲げられた弾性接触片１０９が設けられている。基板側ハウジング１０１の奥壁部１０６には、前方に向かって押圧部１０７が突設されている。押圧部１０７の先端内側には、端子金具１０５の弾性接触片１０９を押圧する案内面１０８が設けられている。
【０００４】
このコネクタ１００では、基板側ハウジング１０１の内側に、電線側ハウジング１０２を挿入するようにして嵌合操作を開始すると、図１９に示すように、基板１０３が基板挿入口１１２から電線側ハウジング１０２の内側に進入し、次に押圧部１０７が押圧部挿入口１１３から押圧部挿入空間１１４内に挿入される。そして、基板１０３が基板挿入口１１２の奥側に進入するとともに、図２０に示すように、案内面１０８が押圧受部１１５を押圧することで、弾性接触片１０９を基板１０３側に弾性変形させ、所定の位置まで嵌合操作が進行するとコネクタ１００の組み付けが完了する。このとき、押圧部１０７が弾性接触片１０９の第１屈曲部１１７を基板１０３側に押圧することで、弾性接触片１０９が接触位置に至り、接点部１１８が端子部１０４に接触する。
【先行技術文献】
【特許文献】
【０００５】
【特許文献１】特許第３６６９２６８号公報
【発明の概要】
【発明が解決しようとする課題】
【０００６】
上記従来のコネクタ１００では、基板側ハウジング１０１の内側に電線側ハウジング１０２を嵌合した際、押圧部１０７が弾性接触片１０９の第１屈曲部１１７を基板１０３側に押圧することで、弾性接触片１０９の全体を基板１０３へ弾性変形させている。そのため、このコネクタ１００では、端子金具１０５の内部に、弾性接触片１０９を格納する空間と押圧部１０７を挿入する空間との両方を確保する必要がある。その結果、端子金具１０５のサイズが大きくなり、これを収容するコネクタ１００のサイズも大きくなるという問題がある。
【０００７】
そこで、本発明では、端部表面に端子部を有する基板が嵌合されるコネクタ用のコネクタ端子のサイズを小さくし、ひいてはこれを収容するコネクタのサイズを小さくすることを目的とする。
【課題を解決するための手段】
【０００８】
本発明のコネクタ端子は、端子収容室と、端子収容室への端子挿入口と、端子収容室に隣接して形成され、端部表面に端子部を有する基板が嵌合される嵌合部とを有するコネクタハウジングに対し、端子挿入口から端子収容室内に挿入されて収容されるコネクタ端子であって、コネクタ端子の挿入方向の前方が開口した端子本体と、端子本体に一端部が固定されてコネクタ端子の挿入方向の後方に向かって延び、コネクタ端子の挿入方向の前方を開口部として折り返され、コネクタ端子の挿入方向の前方に向かって延びる略Ｕ字形状であり、折り返された部分がコネクタ端子の挿入方向の後方に向かって凸曲面状に形成された曲面部であり、曲面部からコネクタ端子の挿入方向の前方に向かって延びる部分の途中に端子収容室から嵌合部に突出する接点部を有し、開口部が端子本体の開口に臨んで端子本体内に収容されるばね片とを備え、コネクタハウジングは、端子収容室内のコネクタ端子の挿入方向の前方に、端子収容室内に挿入される端子本体内のばね片の開口部に向かって突出した突起部と、ばね片の一部が嵌合部に突出可能な突出用開口とを有し、ばね片は、端子本体に固定される一端部と曲面部との間に端子本体から離れるように形成された屈曲部と、端子本体に固定される一端部と反対側の端部に形成され、端子収容室内にコネクタ端子が挿入される際に突起部を滑る状態で接触する摺接部とを有し、接点部は、突起部が摺接部に接触することにより端子収容室から突出用開口を通じて嵌合部に押し出されて突出し、嵌合部に嵌合される基板の端子部に接触可能となるものであることを特徴とする。
【０００９】
また、本発明のコネクタは、端部表面に端子部を有する基板が嵌合されるコネクタであって、端子収容室と、端子収容室への端子挿入口と、端子収容室に隣接して形成され、基板が嵌合される嵌合部とを有するコネクタハウジングと、コネクタハウジングに対し、端子挿入口から端子収容室内に挿入されて収容されるコネクタ端子とを有し、コネクタ端子は、コネクタ端子の挿入方向の前方が開口した端子本体と、端子本体に一端部が固定されてコネクタ端子の挿入方向の後方に向かって延び、コネクタ端子の挿入方向の前方を開口部として折り返され、コネクタ端子の挿入方向の前方に向かって延びる略Ｕ字形状であり、折り返された部分がコネクタ端子の挿入方向の後方に向かって凸曲面状に形成された曲面部であり、曲面部からコネクタ端子の挿入方向の前方に向かって延びる部分の途中に端子収容室から嵌合部に突出する接点部を有し、開口部が端子本体の開口に臨んで端子本体内に収容されるばね片とを備え、コネクタハウジングは、端子収容室内のコネクタ端子の挿入方向の前方に、端子収容室内に挿入される端子本体内のばね片の開口部に向かって突出した突起部と、ばね片の一部が嵌合部に突出可能な突出用開口とを有し、ばね片は、端子本体に固定される一端部と曲面部との間に端子本体から離れるように形成された屈曲部と、端子本体に固定される一端部と反対側の端部に形成され、端子収容室内にコネクタ端子が挿入される際に突起部を滑る状態で接触する摺接部とを有し、接点部は、突起部が摺接部に接触することにより端子収容室から突出用開口を通じて嵌合部に押し出されて突出し、嵌合部に嵌合される基板の端子部に接触可能となるものであることを特徴とする。
【００１０】
本発明に係るコネクタ端子では、コネクタハウジングの端子挿入口から端子収容室内に挿入した際、コネクタハウジングの突起部が、コネクタ端子の挿入方向の前方の開口部からコネクタ端子の挿入方向の前方を開口部として折り返された形状のばね片の内側に進入し、ばね片の摺接部に接触して滑りながら奥側に進入する。これにより、ばね片の接点部が、端子収容室から突出用開口を通じて嵌合部に押し出されて突出し、嵌合部に嵌合される基板の端子部に接触可能となり、嵌合部に基板が嵌合された際には基板の端子部に接触するようになる。
【００１１】
ここで、ばね片は、さらに、端子本体に固定される一端部と折り返された部分との間に形成された屈曲部を有するので、ばね片が撓んだときに、ばね片内部に発生する応力を分散することが可能となり、嵌合部に基板が嵌合された際のばね片の塑性変形を防止することができる。
【００１２】
また、ばね片または端子本体のうち、いずれかの固定される部分に、端子本体またはばね片に臨む突出部を有することが望ましい。これにより、ばね片と端子本体との接触部が、ばね片の表面と端子本体の表面との面接触ではなく、突出部による点接触となる。
【００１３】
また、端子本体は、コネクタ端子の挿入方向の後方側に、ばね片の折り返された部分の後退を規制する受け部を有することが望ましい。この受け部により、嵌合部に基板が嵌合された際にばね片の折り返された部分の後退が規制され、ばね片の座屈変形を防止することができる。
【発明の効果】
【００１４】
（１）本発明によれば、コネクタハウジングの端子挿入口から端子収容室内に挿入した際、コネクタハウジングの突起部が、コネクタ端子の挿入方向の前方の開口部からコネクタ端子の挿入方向の前方を開口部として折り返された形状のばね片の内側に進入することにより、ばね片の接点部が、端子収容室から突出用開口を通じて嵌合部に押し出されて突出し、嵌合部に嵌合される基板の端子部に接触可能となり、嵌合部に基板が嵌合された際には基板の端子部に接触するようになるため、端子本体内にばね片を格納する空間のみを確保すれば、コネクタハウジングの突起部を挿入する空間がその内側に確保されることになり、コネクタ端子およびこれを収容するコネクタのサイズを小さくすることが可能となる。
【００１５】
（２）ばね片が、さらに、端子本体に固定される一端部と折り返された部分との間に形成された屈曲部を有することにより、嵌合部に基板が嵌合された際のばね片の塑性変形を防止することができ、コネクタ端子の耐久性が向上する。
【００１６】
（３）ばね片または端子本体のうち、いずれかの固定される部分に、端子本体またはばね片に臨む突出部を有することにより、ばね片と端子本体との接触部が、ばね片の表面と端子本体の表面との面接触ではなく、突出部による点接触となるため、接触の信頼性が向上する。
【００１７】
（４）端子本体が、コネクタ端子の挿入方向の後方側に、ばね片の折り返された部分の後退を規制する受け部を有することにより、嵌合部に基板が嵌合された際にばね片の折り返された部分の後退が規制され、ばね片の座屈変形を防止することができ、コネクタ端子の接続信頼性が向上する。
【図面の簡単な説明】
【００１８】
【図１】本発明の実施の形態におけるコネクタの組み立て斜視図である。
【図２】図１の側断面図である。
【図３】図１のコネクタを分解した状態の側断面図である。
【図４】図３の電線側コネクタハウジングを示す側断面図である。
【図５】図３のＡ部拡大図である。
【図６】図３の端子本体を示す斜視図である。
【図７】図３の端子本体の鞘状部を示す側断面図である。
【図８】図７の突出部の拡大断面図である。
【図９】図３のばね片を示す斜視図である。
【図１０】図６の端子本体を形成する金属板を示す斜視図である。
【図１１】図１０のＢ部拡大図である。
【図１２】端子本体への組み込み前のばね片の状態を示す斜視図である。
【図１３】金属板の上にばね片を重ねて配置した状態を示す斜視図である。
【図１４】コネクタ端子の組み立ての様子を示す斜視図である。
【図１５】図１４の状態からキャリアをカットした状態を示す斜視図である。
【図１６Ａ】コネクタ端子のコネクタハウジングへの組み付け操作開始の様子を示す側断面図である。
【図１６Ｂ】コネクタ端子のコネクタハウジングへの組み付け操作途中の様子を示す側断面図である。
【図１６Ｃ】コネクタ端子のコネクタハウジングへの組み付け操作完了の様子を示す側断面図である。
【図１７Ａ】コネクタへの基板の組み付け操作開始の様子を示す側断面図である。
【図１７Ｂ】コネクタへの基板の組み付け操作完了の様子を示す側断面図である。
【図１８】従来のコネクタの両ハウジングを嵌合する前の側断面図である。
【図１９】図１８の両ハウジングの嵌合操作の様子を示す側断面図である。
【図２０】図１８の両ハウジングの嵌合操作を完了したときの側断面図である。
【発明を実施するための形態】
【００１９】
図１は本発明の実施の形態におけるコネクタの組み立て斜視図、図２は図１の側断面図、図３は図１のコネクタを分解した状態の側断面図、図４は図３の電線側コネクタハウジングを示す側断面図、図５は図３のＡ部拡大図、図６は図３の端子本体を示す斜視図、図７は図３の端子本体の鞘状部を示す断面図、図８は図７の突出部の拡大断面図、図９は図３のばね片を示す斜視図、図１０は図６の端子本体を形成する金属板を示す斜視図、図１１は図１０のＢ部拡大図である。
【００２０】
図１および図２に示すように、本発明の実施の形態におけるコネクタ１は、端部表面に端子部Ｔを有する基板Ｂが嵌合される、いわゆるカードエッジコネクタである。基板Ｂは、ハウジングＨに保持されている。コネクタ１は、コネクタハウジング２内に、基板Ｂの端子部Ｔが接触するコネクタ端子３が収容されたものである。コネクタ端子３には、電線Ｃが接続される。
【００２１】
図３〜図５に示すように、コネクタハウジング２は、基板Ｂの嵌合側が開口されてハウジングＨが嵌合されるフード部２０と、フード部２０に接続され、ハウジングＨに保持された基板Ｂが嵌合される嵌合部２１と、コネクタ端子３が収容される端子収容室２２とを有する。嵌合部２１は、端子収容室２２に隣接して形成されている。また、嵌合部２１を挟んでコネクタハウジング２のフード部２０の反対側には、端子収容室２２へコネクタ端子３を挿入するための端子挿入口２３が形成されている。
【００２２】
コネクタ端子３は、図６に示す第１端子部品としての端子本体４と、図９に示す第２端子部品としてのばね片５とから構成される。端子本体４は、コネクタ端子３の挿入方向の前方（ハウジングＨ側）が開口（図６に示す開口部４０）されている。ばね片５は、コネクタ端子３の挿入方向の前方を開口部５０として折り返された形状である。ばね片５は、この開口部５０が端子本体４の開口（開口部４０）に臨んで端子本体４内に収容される。なお、以下の説明において、コネクタハウジング２の端子収容室２２に対するコネクタ端子３の挿入方向（図３に示す矢線Ｘ方向）を「前」とし、その反対方向を「後」として表現する。
【００２３】
コネクタ端子３は、端子挿入口２３から端子収容室２２内に挿入されて収容される。なお、複数のコネクタ端子３は、嵌合部２１を上下に挟んで対向するように収容されており、かつ、コネクタハウジング２に上下２段に分かれて千鳥状となるよう収容されている。コネクタハウジング２における端子収容室２２内には、このコネクタ端子３の前方に、端子収容室２２内に挿入される端子本体４のばね片５の開口部５０に向かって突出した突起部２４を有する。突起部２４の先端は、嵌合部２１から遠い側が端子挿入口２３に近くなるように斜めに形成された斜面２４ａとなっている。また、端子収容室２２と嵌合部２１との間には、ばね片５の一部が嵌合部２１に突出可能な突出用開口２５が形成されている。
【００２４】
端子本体４は、図１０に示すように打ち抜かれた導電性の良好な金属板４ａを曲げ加工することにより形成されたものである。なお、図１０には１つの端子本体４を構成する部分のみ示しているが、実際には複数の端子本体４を構成する部分が、その両端部のキャリア６ａ，６ｂによって繋げられた状態となっている。図６に示すように、端子本体４は、ばね片５が収容される鞘状部４１と、電線Ｃを圧着固定するための結束部４２とを有する。結束部４２は、電線Ｃの外部絶縁体の外周を保持する外被かしめ部４２ａと、電線Ｃを保持して鞘状部４１と導通接続する導体かしめ部４２ｂとにより構成されている。
【００２５】
また、鞘状部４１の前方には、ばね片５を鞘状部４１内に固定して鞘状部４１と導通接続する通電接続部４３を有する。通電接続部４３は、ばね片５に臨む突出部４４ａと、端子本体４の側面を切り欠いて形成されたかしめ片４４ｂとから構成されている。ばね片５は、突出部４４ａとかしめ片４４ｂとの間に、かしめにより固定される。一方、鞘状部４１の後方には、ばね片５の折り返された部分の後退を規制する受け部４５を有する。受け部４５は、端子本体４の側面を切り欠いて、内側へ９０°折り曲げることにより形成されている。また、鞘状部４１の通電接続部４３の対面側には、ばね片５が突出用開口２５を通じて嵌合部２１に突出可能な位置に開口部４６が形成されている。
【００２６】
なお、本実施形態における突出部４４ａは、金属板４ａに打ち出し加工することにより形成している。また、突出部４４ａは、端子本体４ではなく、ばね片５に備えた構成としても良い。要するに、ばね片５または端子本体４のうち、いずれかの固定される部分に、端子本体４、または、ばね片５に臨む突出部４４ａを有する構成とすれば良い。なお、端子本体４とばね片５との固定は、かしめ以外の方法、例えば溶接等の方法により行うことも可能である。
【００２７】
図９に示すように、ばね片５は、コネクタ端子３の前方を開口部５０として折り返された形状であり、この折り返された部分はコネクタ端子３の後方に向かって凸曲面状に形成された曲面部５１となっている。また、通電接続部４３によって端子本体４に固定される一端部５ａと反対側の端部５ｂには、摺接部５２が形成されている。摺接部５２は、端子収容室２２内にコネクタ端子３が挿入される際に突起部２４を滑る状態で接触するように、ばね片５の内側に向かって凸曲面状に形成されている。
【００２８】
また、ばね片５は、通電接続部４３によって端子本体４に固定される部分は、端子本体４に沿うように直線部５３となっているが、端子本体４に固定される一端部５ａと折り返された部分である曲面部５１との間には、端子本体４から離れるように屈曲部５４が形成されている。さらに、曲面部５１と摺接部５２との間には、ばね片５の外側に向かって凸曲面状の接点部５５が形成されている。
【００２９】
上記コネクタ端子３は、以下の手順により形成される。図１２は端子本体４への組み込み前のばね片５の状態を示す斜視図、図１３は金属板４ａの上にばね片５を重ねて配置した状態を示す斜視図、図１４はコネクタ端子３の組み立ての様子を示す斜視図、図１５は図１４の状態からキャリアをカットした状態を示す斜視図である。
【００３０】
ばね片５は、導電性の良好な金属板を打ち抜いて、事前に図１２に示す状態に曲げ加工される。なお、前述の端子本体４と同様、図１２には１つのばね片５を構成する部分のみ示しているが、実際には複数のばね片５を構成する部分が、キャリア７によって繋げられた状態となっている。そして、この図１２に示す状態のばね片５を図１０に示す金属板４ａ上に重ねた後（図１３参照。）、端子本体４の各部を折り曲げて、キャリア６ａ，６ｂ，７に繋がったままのコネクタ端子３を形成する（図１４参照。）。その後、キャリア６ａ，６ｂ，７をカットする。
【００３１】
これにより、図１５に示すように、ばね片５と端子本体４とが一体化されたコネクタ端子３が得られる。このコネクタ端子３では、ばね片５のかしめ位置が端子本体４の開口部４０の近くにあるので、ばね片５の組み付け作業性が良く、ばね片５を組み込んだ後にばね片５のキャリアをカットすることが可能である。また、このコネクタ端子３では、ばね片５と端子本体４との接触部が、ばね片５の表面と端子本体４の表面との面接触ではなく、突出部４４ａの先端部による点接触となるため、接触の信頼性が向上している。
【００３２】
次に、上記構成のコネクタ端子３のコネクタハウジング２の組み付けについて説明する。図１６Ａはコネクタ端子３のコネクタハウジング２への組み付け操作開始の様子を示す側断面図、図１６Ｂは組み付け操作途中の様子を示す側断面図、図１６Ｃは組み付け操作完了の様子を示す側断面図である。
【００３３】
コネクタ端子３を、コネクタハウジング２の端子挿入口２３から端子収容室２２内に挿入すると、図１６Ａに示すように、コネクタハウジング２の突起部２４が、コネクタ端子３の挿入方向の前方の開口部４０からコネクタ端子３内に進入し、突起部２４の先端がコネクタ端子３内のばね片５の開口部５０に対峙する。この状態からコネクタ端子３を押し進めると、図１６Ｂに示すように、ばね片５の摺接部５２がコネクタハウジング２の突起部２４の先端の斜面２４ａに接触し、この斜面２４ａに沿って嵌合部２１側へ押されていく。
【００３４】
これにより、ばね片５の接点部５５が、端子収容室２２から突出用開口２５を通じて嵌合部２１に押し出されていく。そして、図１６Ｃに示すように、ばね片５の摺接部５２が突起部２４の先端の斜面２４ａの下端を超えて、突起部２４の下面２４ｂに達すると、突出用開口２５を通じて嵌合部２１に押し出されて突出したばね片５の接点部５５が、嵌合部２１に嵌合される基板Ｂの端子部Ｔに接触可能となる。
【００３５】
次に、上記のように構成されたコネクタ１への基板Ｂの組み付けについて説明する。図１７Ａはコネクタ１への基板Ｂの組み付け操作開始の様子を示す側断面図、図１７Ｂは組み付け操作完了の様子を示す側断面図である。
【００３６】
上記のようにコネクタ端子３が収容されたコネクタ１のフード部２０に対し、基板Ｂが保持されたハウジングＨを嵌合すると、図１７Ａに示すように、基板Ｂがコネクタハウジング２の嵌合部２１内に進入し、突出用開口２５を通じて嵌合部２１に押し出されて突出したばね片５の接点部５５が、図１７Ｂに示すように、基板Ｂの端子部Ｔに接触する。
【００３７】
すなわち、本実施形態におけるコネクタ端子３は、コネクタハウジング２の端子挿入口２３から端子収容室２２内に挿入した際、ばね片５の接点部５５が、端子収容室２２から突出用開口２５を通じて嵌合部２１に押し出されて突出し、嵌合部２１に嵌合される基板Ｂの端子部Ｔに接触可能となり、嵌合部２１に基板Ｂが嵌合された際には基板Ｂの端子部Ｔに接触するようになるため、端子本体４内にばね片５を格納する空間のみを確保すれば、コネクタハウジング２の突起部２４を挿入する空間がその内側に確保されることになり、コネクタ端子３およびこれを収容するコネクタ１のサイズを小さくすることができる。
【００３８】
上記のように、本実施形態におけるコネクタ１では、基板Ｂがコネクタハウジング２の嵌合部２１内に嵌合されると、突出用開口２５を通じて嵌合部２１に突出したばね片５の接点部５５が突出用開口２５側に押されることにより、ばね片５の曲面部５１が弾性変形するため、その復元力によりばね片５の接点部５５と基板Ｂの端子部Ｔとの高い接触荷重を得ることができる。このとき、ばね片５の内部応力は、接点部５５と曲面部５１と屈曲部５４との３箇所に分散されるので、ばね片５の塑性変形が抑制され、コネクタ端子３の耐久性が向上する。なお、屈曲部５４がない場合、端子本体４の内面に直線部５３が密着するため、ばね片５の内部応力が接点部５５と曲面部５１との２箇所に集中することになり、屈曲部５４がある場合と比べて最大応力値が大きくなる。
【００３９】
また、基板Ｂがコネクタハウジング２の嵌合部２１内に嵌合される際、ばね片５は図１７Ａに示す状態から図１７Ｂに示す状態へ接点部５５が嵌合部２１から端子収容室２２側へ、すなわち突出用開口２５側に押される。これにより、ばね片５の折り返された部分である曲面部５１は端子挿入口２３側へ後退しようとするが、本実施形態におけるコネクタ端子３では鞘状部４１の後方に有する受け部４５によって、このばね片５の曲面部５１の後退が規制されている。そのため、基板Ｂの嵌合により、ばね片５の端部５ｂと摺接部５２とが嵌合部２１内に引きずり込まれて座屈変形することが防止され、コネクタ端子３の接続信頼性が向上している。
【産業上の利用可能性】
【００４０】
本発明は、自動車等に搭載される各種機器の電気接続に使用されるコネクタ端子およびコネクタとして有用である。
【符号の説明】
【００４１】
Ｂ  基板
Ｔ  端子部
Ｈ  ハウジング
Ｃ  電線
１  コネクタ
２  コネクタハウジング
３  コネクタ端子
４  端子本体
４ａ  金属板
５  ばね片
６ａ，６ｂ，７  キャリア
２０  フード部
２１  嵌合部
２２  端子収容室
２３  端子挿入口
２４  突起部
２５  突出用開口
４０  開口部
４１  鞘状部
４２  結束部
４２ａ  外被かしめ部
４２ｂ  導体かしめ部
４３  通電接続部
４４ａ  突出部
４４ｂ  かしめ片
４５  受け部
４６  開口部
５０  開口部
５１  曲面部
５２  摺接部
５３  直線部
５４  屈曲部
５５  接点部
【要約】
【課題】端部表面に端子部を有する基板が嵌合されるコネクタ用のコネクタ端子のサイズを小さくし、ひいてはこれを収容するコネクタのサイズを小さくすること。
【解決手段】コネクタ端子３をコネクタハウジング２の端子挿入口から端子収容室２２内に挿入した際、コネクタハウジング２の突起部２４が、コネクタ端子３の挿入方向の前方の開口部４０からコネクタ端子３の挿入方向の前方を開口部５０として折り返された形状のばね片５の内側に進入し、ばね片５の摺接部５２に接触して滑りながら奥側に進入する。これにより、ばね片５の接点部５５が、端子収容室２２から突出用開口２５を通じて嵌合部２１に押し出されて突出し、嵌合部２１に嵌合される基板Ｂの端子部Ｔに接触可能となり、嵌合部２１に基板Ｂが嵌合された際には基板Ｂの端子部Ｔに接触する。
【選択図】図１７Ａ【図１】
0005754533.tif 000002
【図２】
0005754533.tif 000003
【図３】
0005754533.tif 000004
【図４】
0005754533.tif 000005
【図５】
0005754533.tif 000006
【図６】
0005754533.tif 000007
【図７】
0005754533.tif 000008
【図８】
0005754533.tif 000009
【図９】
0005754533.tif 000010
【図１０】
0005754533.tif 000011
【図１１】
0005754533.tif 000012
【図１２】
0005754533.tif 000013
【図１３】
0005754533.tif 000014
【図１４】
0005754533.tif 000015
【図１５】
0005754533.tif 000016
【図１６Ａ】
0005754533.tif 000017
【図１６Ｂ】
0005754533.tif 000018
【図１６Ｃ】
0005754533.tif 000019
【図１７Ａ】
0005754533.tif 000020
【図１７Ｂ】
0005754533.tif 000021
【図１８】
0005754533.tif 000022
【図１９】
0005754533.tif 000023
【図２０】
0005754533.tif 000024